(57)【要約】      （修正有）【課題】イヤホンジャック用アクセサリーにおいて、アクセサリーを紛失する可能性を少なくする為に、アクセサリーをイヤホンコードに添うように保持できるようにしたホルダーを提供する。【解決手段】プラスチック、ゴムなどの軟質弾性体に複数の並列する貫通穴を設け、一つの貫通穴の内径は、イヤホンプラグ２のプラスチックマウント部外径２２より短く、イヤホンコード３の外径より長くして、イヤホンプラグ２に押し込み広がるように変形させてイヤホンコード３まで通すと遊びが生じるようにする。さらに、他の貫通穴はイヤホンジャック用アクセサリー７のプラグ先端の金属端子部２１を模した棒体７１を受け容れ保持するようにした【選択図】図１
0003179869.tif 000002
【実用新案登録請求の範囲】
【請求項１】
プラスチック、ゴムなどの軟質弾性体に複数の並列する貫通穴を設け、一つの貫通穴の内径は、イヤホンプラグのプラスチックマウント部外径より短く、イヤホンコードの外径より長くして、イヤホンプラグに押し込み広がるように変形させてイヤホンコードまで通すと遊びが生じるようにし、その他の貫通穴はイヤホンジャック用アクセサリーのプラグ先端の金属端子部を模した棒体を受け容れ保持するようにしたことを特徴とするイヤホンジャック用アクセサリーのホルダー。
【請求項２】
イヤホンジャック用アクセサリーの棒体を受け容れ保持する貫通穴の内径を、棒体外径と同じか棒体外径より短くして、棒体の外周面に貫通穴の内壁面が密着乃至押圧して抜け落ちないようにしたことを特徴とする請求項１記載のイヤホンジャック用アクセサリーのホルダー。
【請求項３】
イヤホンコードと貫通穴の平面三日月形の遊びに圧入し、ホルダーをイヤホンコードに停めるフィラーを備えたことを特徴とする請求項１又は請求項２記載のイヤホンジャック用アクセサリーのホルダー。
【請求項４】
フィラーは平面三日月形の遊びに入る硬質プラスチックからなる平面弧状をなすものであることを特徴とする請求項３記載のイヤホンジャック用アクセサリーのホルダー。
【請求項５】
硬質プラスチックからなる平面弧状のフィラーは、貫通穴の内径よりも長くして圧入すると貫通穴を拡開変形させ、フィラーの内側湾曲面と貫通穴の内壁面でイヤホンコードを安定して保持でき、指でホルダーをイヤホンコードとスライドできるようにしたことを特徴とする請求項４記載のイヤホンジャック用アクセサリーのホルダー。
【考案の詳細な説明】
【技術分野】
【０００１】
音楽再生機能付のスマートホンなどの携帯電話やデジタルオーディオプレイヤーなどの外部接続用の端子としてのイヤホンジャックを配置したハウジングの開口を、外部端子を使用していない状態で塞ぐためのイヤホンジャック用アクセサリーが提供されている。
イヤホンを利用する場合には当然このアクセサリーを抜き取って、ポケットやバッグに収めて一時保管することになるが、保管場所を忘れたり、小さいものであるので紛れ込んで捜すのに手間が掛かっていた。
そこで、このアクセサリーをイヤホンコードに添うように保持できるようにしたホルダーを提供しようとするものである。
【背景技術】
【０００２】
携帯電話用の装飾用グッズの一として、イヤホンジャックの開口を塞ぎ、チリや埃、雨などによる水分の侵入を防ぐ機能を備えた棒体と、この棒体と一体或いは交換可能な動物や植物或いはキャラクターなどを模した装飾体を備えたものが、イヤホンジャック用アクセサリーとして特許文献１乃至特許文献５に示すように提案されている。
【０００３】
このようなイヤホンジャック用アクセサリーを、イヤホンを使うときに抜き出し一時的に保管する手段としては特許文献６に示すものがある。
これは、基本的にはイヤホンジャックを模した形態を備えたもので、これをホルダーケース内に内蔵させるようにしたといえる。
【先行技術文献】
【特許文献】
【０００４】
【特許文献１】実用新案登録第３０８８４９６号公報
【特許文献２】実用新案登録第３１７１３４９号公報
【特許文献３】実用新案登録第３１７１３４５号公報
【特許文献４】実用新案登録第３１７０８６８号公報
【特許文献５】実用新案登録第３１７０６０４号公報
【特許文献６】実用新案登録第３１７１４９１号公報
【考案の概要】
【考案が解決しようとする課題】
【０００５】
特許文献６に示すホルダーは、携帯電話やイヤホンとは別途、ホルダーを設けるようにしたといえる。しかし、単なる筒状のホルダーのみでは紛失する虞は解消せず、ホルダーをホルダーケースに内臓することで、取り外した状態で新たな装飾品となるものの、ホルダーケースごとポケットやバッグに入れてしまえば装飾品とならず、ホルダーケースに丸環、ナスカンを配し、別途キーホルダーリングやチェーンによりバッグに吊るすようにして始めて装飾品となる。
【０００６】
この考案では、イヤホンジャック用のアクセサリーを、イヤホンジャックから外してイヤホンにて音楽などを楽しむときに、イヤホンのコードと一体として保持できるようにすることで紛失しないようにするとともに、イヤホンを携帯電話などから外したときに、速やかにイヤホンジャックにイヤホンジャック用アクセサリーを刺し込むことができるようにしたのである。加えて、一般的には機能的な形態にどどまるイヤホンのアクセサリーにもなるようにしたのである。
【課題を解決するための手段】
【０００７】
請求項１のイヤホンジャック用アクセサリーのホルダーに係る考案は、プラスチック、ゴムなどの軟質弾性体に複数の並列する貫通穴を設け、一つの貫通穴の内径は、イヤホンプラグのプラスチックマウント部外径より短く、イヤホンコードの外径より長くして、イヤホンプラグに押し込み広がるように変形させてイヤホンコードまで通すと遊びが生じるようにし、その他の貫通穴はイヤホンジャック用アクセサリーのプラグ先端の金属端子部を模した棒体を受け容れ保持するようにしたものである。
【０００８】
請求項２の考案は、請求項１の考案の、イヤホンジャック用アクセサリーの棒体を受け容れ保持する貫通穴の内径を、棒体外径と同じか棒体外径より短くして、棒体の外周面に貫通穴の内壁面が密着（同じ外径とした場合）乃至押圧（短い外径とした場合）して抜け落ちないようにしたものである。
請求項３の考案は、イヤホンコードと貫通穴の平面三日月形の遊びに圧入し、ホルダーをイヤホンコードに停めるフィラーを別途備えたものである。
【０００９】
請求項４記載の考案は、フィラーを、平面三日月形の遊びに入る硬質プラスチックからなる平面弧状をなすものとしたものである。
請求項５記載の考案は、硬質プラスチックからなる平面弧状のフィラーは、貫通穴の内径よりも長くして圧入すると貫通穴を拡開変形させ、フィラーの内側湾曲面と貫通穴の内壁面でイヤホンコードを安定して保持でき、指でホルダーをイヤホンコードとスライドできるようにしたものである。
【考案の効果】
【００１０】
請求項１の考案では、イヤホンジャック用アクセサリーのホルダーの一の貫通穴を、イヤホンプラグを通してイヤホンのイヤホンコードに停止させることができ、イヤホンを利用するときに、他の貫通穴にはイヤホンジャック用アクセサリーを押し込むことで確実に保持することができることになる。そして、イヤホンジャック用アクセサリーがイヤホン用アクセサリーともなり、従来のようにハンドバックやポケットに収める必要がなくなったのである。
【００１１】
請求項２の考案では、アクセサリーの棒体を受け容れ保持する貫通穴の内径を、棒体と同一或いは短いものとして、同一であれば棒体が貫通穴に密着し、短いと棒体の周囲を押圧することになり、いずれにしてもアクセサリーの抜け落ちを確実に防止できることになる。
請求項３の考案では、イヤホンコードと貫通穴の平面三日月状の遊びに圧入する、別途フィラーを設けるようにして、ホルダーをイヤホンコードに停めることができるようにしたのである。
【００１２】
請求項４の考案は、請求項３のフィラーを、硬質プラスチックからなる平面弧状をなすものとしたので、遊びに挿入しやすくなるのである。
請求項５の考案では、平面弧状のフィラーを、貫通穴の内径よりも長くして圧入すると貫通穴を拡開変形させ、フィラーの内側湾曲面と貫通穴の内壁面でイヤホンコードを安定して保持でき、指でホルダーをイヤホンコードとスライドできるので、所望の位置に簡単に移動させることができることになる。
【図面の簡単な説明】
【００１３】
【図１】図１は、この考案に係るイヤホンジャック用アクセサリーのホルダーの使用状態の斜視図である。
【図２】図２は、スマートホンなどの携帯電話へのイヤホンジャック用アクセサリーの使用状態図である。
【図３】図３は、この考案に係るイヤホンジャック用アクセサリーのホルダーの平面図（ａ）及び正面図（ｂ）である。
【図４】図４はフィラーの斜視図である。
【図５】図５は、図１のＡ―Ａ線拡大断面図である。
【考案を実施するための形態】
【００１４】
以下、この考案を実施するための形態について説明する。
図１は、イヤホン１のイヤホンプラグ２側のイヤホンコード３に通した、ホルダー４とフィラー５から成るアクセサリーホルダー６にイヤホンジャック用アクセサリー７を嵌め込んだ状態を示すものである。
図２に示すように、イヤホンジャック用アクセサリー７はスマートホン８のイヤホンジャック用の開口８１から刺し込み、開口からの埃や水分の侵入を防ぐとともに、所有者を識別するとともに装飾とするものである。
このアクセサリー７は、イヤホンプラグ２の金属端子部２１を模した棒体７１と、この棒体７１と一体或いは交換可能な装飾体７２を備えたものである。装飾体７２は図示のような動物の頭部を表したものに限定されず、植物、キャラクター人形、模造宝石など適宜選択し採用することができる。
【実施例１】
【００１５】
図３以下は、この考案に係るアクセサリーホルダー６の詳細を表わすものである。
ホルダー４は、柔軟性を備えたシリコンゴムによりなるもので、平面繭玉状、正面では矩形をなすもので、大小二つの並列する貫通穴４１、４２を設けるようにしてなる。この貫通穴４１、４２は金型により成形することが望ましいが、中実の成形品を製作した後に切削して貫通穴４１、４２を穿つようにしてもよい。
大きな貫通穴４１は内径を３．２ｍｍとするもので、小さな貫通穴４２は内径を２ｍｍ
としてある。
【００１６】
イヤホンプラグ２は、先端の金属端子部２１の太い直径は３ｍｍであり、これより太い直径５ｍｍのプラスチックマウント部２２を介して直径２ｍｍのイヤホンコード３に繋ぐようにしている。  
イヤホンジャック用アクセサリー７の、開口８１に刺し込む棒体７１はイヤホンプラグ２の金属端子部２１を模してあるので略直径３ｍｍの太さとなる。
【００１７】
このホルダー４をイヤホン１のイヤホンプラグ２に近い、イヤホンコード３に通すには、貫通穴４１（内径３．２ｍｍ）をイヤホンプラグ２の先端の金属端子部２１（直径３ｍｍ）に挿入し、そこから素材であるシリコンゴムの柔軟性により貫通穴４１をプラスチックマウント部２２（直径５ｍｍ）に押し込み広げてイヤホンコード３（直径２ｍｍ）にまで至るようにする。
ホルダー４をイヤホンコード３に外嵌めした状態では、貫通穴４１の内径が３．２ｍｍ、イヤホンコード３の直径は２ｍｍであるので遊びが生じることになる。このままでもホルダー４はイヤホンコード３に接触するので停められ、プラスチックマウント部２２に引っ掛かって抜け落ちることはないが、ゆれたりするとずれて動いてしまう。
【００１８】
そこで、所望の箇所にホルダー４を体裁よく停止させるために、図４に示すフィラー５をホルダー本体４とイヤホンコード３の遊び内に嵌め込むのである。
このフィラー５は、硬質樹脂、具体的にはＡＢＳ樹脂やアクリル樹脂からなるもので、平面円弧状をなし、貫通穴４１内に収まるように若干短くするとともに、貫通穴４１を押し広げるよう貫通穴４１の内径よりも長くして圧入すると貫通穴４１を変形させ、フィラー５の内側湾曲面５１と貫通穴４１の内壁面でイヤホンコード３を安定して停めることができ、しかも指でアクセサリーホルダー６をイヤホンコード３とスライドさせ、停止位置を簡単に変えることができるのである。（図５）
【００１９】
ホルダー４の貫通穴４２の内径は２ｍｍであり、イヤホンジャック用アクセサリー７の棒体７１は前述のように直径３ｍｍであるので、棒体７１は貫通穴４２を押し広げるようにして刺し込むことになり、棒体７１を貫通穴４２の内側壁で締め付けることになるのでイヤホンジャック用アクセサリー７の抜け落ちは完全に防ぐことができることになる。
【００２０】
これまでの説明ではアクセサリーホルダー６は、ホルダー４とフィラー５からなるものとして説明したが、ホルダー４のみでも外れることがないので、フィラー５を省略してもよい。ホルダー４の購入者が必要に応じてフィラー５の代用品を押し込んで適宜の位置に停めるようにすることになる。
【００２１】
貫通穴４２の内径は２ｍｍとして、イヤホンプラグ２の金属端子部２１の太さである３ｍｍより細く、圧入することで貫通穴４２を押し広げ棒体７１の周囲を締め付け押圧するので抜け落ちを確実に防げるが、棒体７１と略同一の内径とすることで密着するようにしても同一の効果を奏する。
【００２２】
詳細な図示は省略するが、ホルダー本体４を平面円形或いは楕円形、さらには花びら状として、貫通穴４１はイヤホンコード３に通すので一つであるが、貫通穴４２を複数設けるようにして、一のアクセサリーホルダー６で複数のイヤホンジャック用アクセサリー７を受け入れ保持できるようにしてもよい。
【００２３】
フィラー５は、イヤホンコード３と貫通穴４１の平面三日月形の遊びに嵌め込み停止させるようにすればよいので、素材は硬質樹脂に限定されず適宜選択でき、その形態は遊びに合わせたり、入れ易くするために先端を尖らせた楔形としたり、一端を鉤形として貫通穴４１の縁からホルダー４に掛かるようにしてもよい。
【符号の説明】
【００２４】
１    イヤホン
２    イヤホンプラグ
２１  金属端子部
２２  プラスチックマウント部
３    イヤホンコード
４    ホルダー
５    フィラー
５１  内側湾曲面
６    アクセサリーホルダー
７    イヤホンジャック用アクセサリー
７１  棒体
【図１】
0003179869.tif 000003
【図２】
0003179869.tif 000004
【図３】
0003179869.tif 000005
【図４】
0003179869.tif 000006
【図５】
0003179869.tif 000007